(57)【要約】      （修正有）【課題】清潔感を損なうこと無く、整髪の作業効率を向上させることができるフィンガーストレーナを提供する。【解決手段】  フィンガーストレーナ１０は、指が挿入される空洞１４を取り囲む壁面をなす筒状の本体部１１と、本体部１１の外面に設けられ、樹脂からなる湾曲した糸状の弾性の突起物１２ａが複数集まって構成されたブラシ部１２と、本体部１１に配された細長い棒状の静電気防止部材１３等から構成される。そして、フィンガーストレーナ１０は、空洞１４に挿入されたユーザの指に装着され、本体部１１の外面に設けられたブラシ部１２により髪の毛を梳かすことができる。【選択図】図１
0003182862.tif 000002
【実用新案登録請求の範囲】
【請求項１】
ユーザの指が挿入される細長い空洞の側方を取り囲む壁面をなしており、該空洞に挿入された指に装着される本体部と、
前記本体部の外面における全部または一部の領域に設けられ、前記外面から突出した湾曲した糸状の弾性突起物が複数集まって構成されたブラシ部と、
を備えることを特徴とするフィンガーストレーナ。
【請求項２】
請求項１に記載のフィンガーストレーナにおいて、
前記本体部は、面状の部材として構成されており、当該本体部の縁部に沿った領域における、当該本体部の中央部分を挟んで対面する位置に、それぞれ、第１係合部と第２係合部とが設けられており、前記第１係合部と前記第２係合部とを係合させることで、前記空洞が形成され、
前記第１係合部と前記第２係合部とのうちの少なくとも一方は、該第１係合部と該第２係合部との対面方向に沿って複数設けられていること、
を特徴とするフィンガーストレーナ。
【請求項３】
請求項１または請求項２に記載のフィンガーストレーナにおいて、
前記ブラシ部を構成する前記弾性突起物の根元から先端にかけての長さは、２〜６ｍｍであること、
を特徴とするフィンガーストレーナ。
【請求項４】
請求項３に記載のフィンガーストレーナにおいて、
前記弾性突起物の前記長さは、２〜３ｍｍ、或いは、４〜６ｍｍであること、
を特徴とするフィンガーストレーナ。
【請求項５】
請求項４に記載のフィンガーストレーナにおいて、
前記ブラシ部は、前記長さが２〜３ｍｍの前記弾性突起物と、前記長さが４〜６ｍｍの前記弾性突起物とにより構成されていること、
を特徴とするフィンガーストレーナ。
【請求項６】
請求項１から請求項５のうちのいずれか１項に記載のフィンガーストレーナにおいて、
前記本体部の前記空洞にユーザの指を挿入する方向に直交する方向を整髪方向とし、
前記本体部には、前記整髪方向と交差する向きに沿って配された細長い静電気防止部材が設けられていること、
を特徴とするフィンガーストレーナ。
【請求項７】
請求項１から請求項６のうちのいずれか１項に記載の２つのフィンガーストレーナから構成されるフィンガーストレーナセットにおいて、
２つの前記フィンガーストレーナをつなぎとめる紐状部材を備えること、
を特徴とするフィンガーストレーナセット。
【考案の詳細な説明】
【技術分野】
【０００１】
本考案は、指に装着され、整髪具や、ペットの毛並みの手入れを行う器具等として用いられるフィンガーストレーナ、及び、フィンガーストレーナセットに関する。
【背景技術】
【０００２】
美容室等でヘアアイロンを用いて整髪を行う際に、コームやブラシ等で髪の毛を整える場合があるが、これにより、ヘアアイロンやコーム等を持ち替える手間が生じ、作業効率が低下してしまうという問題があった。
【０００３】
これに対し、特許文献１には、人差し指と中指に挟まれる部分にブラシが設けられた整髪用櫛付き手袋が記載されている。このような整髪用櫛付き手袋を装着しておけば、コーム等を持たなくても片手で髪の毛を整えることができるため、ヘアアイロンやコーム等を持ち替える必要が無くなり、作業効率を向上させることができる。
【先行技術文献】
【特許文献】
【０００４】
【特許文献１】実登３１３９８４３号公報
【考案の概要】
【考案が解決しようとする課題】
【０００５】
しかしながら、整髪用櫛付き手袋を装着した状態で高温のヘアアイロンを用いて作業を行うとなると、手が蒸れてしまうため清潔感が損なわれると共に、整髪用櫛付き手袋の着脱に手間がかかり、円滑な作業の妨げになるという問題があった。
【０００６】
本願考案は上記課題に鑑みてなされたものであり、清潔感を損なうこと無く、整髪の作業効率を向上させることができるフィンガーストレーナ等を提供することを目的とする。
【課題を解決するための手段】
【０００７】
上記課題に鑑みてなされた請求項１に係るフィンガーストレーナは、ユーザの指が挿入される細長い空洞の側方を取り囲む壁面をなしており、該空洞に挿入された指に装着される本体部と、本体部の外面における全部または一部の領域に設けられ、外面から突出した湾曲した糸状の弾性突起物が複数集まって構成されたブラシ部と、を備える。
【０００８】
このフィンガーストレーナは、指を伸ばして本体部の空洞に挿入することで、ユーザの指に装着される。そして、フィンガーストレーナが装着された指の側部を髪の毛に当てるようにして動かすことで、本体部の外面に設けられたブラシ部により髪の毛を梳かすことができ、コーム等を持たなくても整髪を行うことができる。
【０００９】
また、本体部の空洞に指を挿入するだけでフィンガーストレーナを装着することができ、フィンガーストレーナの着脱を容易に行うことができる。
さらに、フィンガーストレーナを装着したとしても、装着された指は本体部により覆われるものの、手全体が覆われてしまうことは無い。このため、例えば、フィンガーストレーナを装着した状態で高温のヘアアイロンを持ち、整髪を行ったとしても、手が蒸れてしまうことは無く、清潔感が損なわれてしまうことは無い。
【００１０】
したがって、このようなフィンガーストレーナによれば、清潔感を損なうこと無く、整髪の作業効率を向上させることができる。
なお、フィンガーストレーナは、美容師等であるユーザが顧客の整髪を行う際に使用した場合に限らず、ユーザが自分自身の整髪を行う際に使用した場合であっても、同様の効果が得られる。
【００１１】
また、１本の指にフィンガーストレーナを装着して整髪を行っても良いが、２本の指にフィンガーストレーナを装着して整髪を行っても良い。従来、２つのブラシが対面した状態で配され、これらのブラシで挟んだ状態で髪の毛を梳かすツインブラシが知られているが、例えば、人差し指と中指にフィンガーストレーナを装着した場合には、これらの指で挟んだ状態で髪の毛を梳かすことができる。このため、ツインブラシを使用した場合と同様、テンションを加えながら髪の毛を梳かすことができ、自在に整髪を行うことができる。
【００１２】
また、従来のツインブラシは、その構造上、テンションのかけ具合等を微調整することが困難であり、フェイスライン付近の髪の毛等といった細かな部分の整髪を行うのには不向きであった。しかし、フィンガーストレーナは指に装着されるため、テンションのかけ具合や髪の毛を梳かす方向等を微調整し易く、このような細かな部分に対しても、容易且つ自在に整髪を行うことができる。
【００１３】
なお、フィンガーストレーナは、ヘアカーラーとして用いることもできる。
また、従来、ブラシを用いて犬や猫等のペットの毛並みの手入れが行われていたが、フィンガーストレーナを用いてペットの毛並みの手入れを行うことも考えられる。特に、ブラシを用いてペットの顔付近の毛並みを整えるといった場合には、ブラシ毛が植設された台座部分等がペットの顔に当たり、ペットに苦痛を与えてしまう場合があった。
【００１４】
これに対し、フィンガーストレーナを用いた場合には、上述したようにテンションのかけ具合や梳かす方向等を調整し易いため、ペットに苦痛を与えること無く毛並みの手入れを行うことができる。また、例えば、フィンガーストレーナの本体部を樹脂等でメッシュ状に構成し、本体部に弾性を持たせた場合には、本体部がペットの顔等に当たっても苦痛を与えることは無い。
【００１５】
また、ペットの胴体部分の毛並みの手入れを行う場合には、３本〜５本の指にフィンガーストレーナを装着し、手全体を使ってブラッシングを行い、毛並みを手入れするということも考えられる。こうすることにより、効率良く毛並みの手入れを行うことができる。
【００１６】
なお、請求項２に記載されているように、本体部は、面状の部材として構成されており、当該本体部の縁部に沿った領域における、本体部の中央部分を挟んで対面する位置に、それぞれ、第１係合部と第２係合部とが設けられており、第１係合部と第２係合部とを係合させることで、空洞が形成され、第１係合部と第２係合部とのうちの少なくとも一方は、該第１係合部と該第２係合部との対面方向に沿って複数設けられていても良い。
【００１７】
このような構成によれば、係合させる第１係合部と第２係合部の組合せを替えることで、本体部により形成される空洞の大きさを変えることができる。このため、指が挿入される空洞のサイズをユーザの指の太さに応じて調整することができ、フィンガーストレーナの使い勝手を向上させることができる。
【００１８】
また、請求項３に記載されているように、ブラシ部を構成する弾性突起物の根元から先端にかけての長さは、２〜６ｍｍであっても良い。
こうすることにより、髪の毛を梳かす際、髪の毛がブラシ部に適度に絡みつき、整髪を好適に行うことができる。
【００１９】
さらに、請求項４に記載されているように、弾性突起物の長さは、２〜３ｍｍ、或いは、４〜６ｍｍであっても良い。
弾性突起物の長さが２〜３ｍｍの場合には、髪の毛を梳かす際、髪の毛がブラシ部に絡みつく度合いを抑えることができ、フィンガーストレーナを容易に取り扱うことが可能となる。
【００２０】
一方、弾性突起物の長さが４〜６ｍｍの場合には、髪の毛を梳かす際、髪の毛がブラシ部に絡みつき易くなるため、髪の毛に強いテンションを与えることが可能となり、髪の毛をセットし易くなる。
【００２１】
また、請求項５に記載されているように、ブラシ部は、長さが２〜３ｍｍの弾性突起物と、長さが４〜６ｍｍの弾性突起物とにより構成されていても良い。
こうすることにより、髪の毛に強いテンションを与えることを可能としつつも、フィンガーストレーナの取り扱いを容易にすることができ、フィンガーストレーナの使い勝手を良くすることができる。
【００２２】
また、フィンガーストレーナにより髪の毛を梳かす際に静電気が発生し、髪の毛がブラシ部に絡みつき易くなるおそれがある。
そこで、請求項６に記載のフィンガーストレーナは、本体部の空洞にユーザの指を挿入する方向に直交する方向を整髪方向とし、本体部には、整髪方向と交差する向きに沿って配された細長い静電気防止部材が設けられている。
【００２３】
こうすることにより、フィンガーストレーナにより髪の毛を梳かす際の静電気の発生を抑え、必要以上に髪の毛がブラシ部に絡みついてしまうことを防ぐことができる。
また、フィンガーストレーナにより髪の毛を梳かす際には、一般的に、上記整髪方向に指を動かして髪の毛を梳かすと考えられる。これに対し、請求項６に係るフィンガーストレーナでは、細長い静電気防止部材が整髪方向に交差する向きに沿って配されているため、効果的に静電気の発生を抑えることができる。
【００２４】
さらに、このような静電気防止部材を設けることで、本体部の強度を向上させることができる。
また、上述したように、２本或いは３本以上のフィンガーストレーナを指に装着して使用することが考えられるが、２本のフィンガーストレーナを指に装着して使用する場合を想定し、次のようなフィンガーストレーナセットを構成しても良い。
【００２５】
すなわち、請求項７に記載されているように、請求項１から請求項６のうちのいずれか１項に記載の２つのフィンガーストレーナから構成され、２つのフィンガーストレーナをつなぎとめる紐状部材を備えるフィンガーストレーナセットを構成しても良い。
【００２６】
こうすることにより、各フィンガーストレーナが離散してしまうことを防ぐことができ、片方のフィンガーストレーナが紛失してしまうこと等を防ぐことができる。
【図面の簡単な説明】
【００２７】
【図１】第１実施形態におけるフィンガーストレーナの斜視図と、ブラシ部の拡大図である。
【図２】第１実施形態のフィンガーストレーナを展開させた状態における正面図と側面図である。
【図３】第１，第２実施形態におけるフィンガーストレーナの上面図である。
【図４】第３実施形態にけるフィンガーストレーナセットの斜視図である。
【考案を実施するための形態】
【００２８】
以下、本考案の実施形態について図面を用いて説明する。なお、本考案の実施の形態は、下記の実施形態に何ら限定されることはなく、本考案の技術的範囲に属する限り種々の形態を採りうる。
【００２９】
［第１実施形態］
第１実施形態のフィンガーストレーナ１０は、筒状に形成されており、内側の細長い空洞１４に挿入されたユーザの指に装着され、髪の毛を梳かすために使用される。フィンガーストレーナ１０は、本体部１１と、ブラシ部１２と、静電気防止部材１３等から構成される（図１（ａ）参照）。
【００３０】
本体部１１は、指が挿入される空洞１４の側方を取り囲む壁面をなす部材であり、樹脂によりメッシュ状に構成され、弾性を有している。
また、ブラシ部１２は、本体部１１の外面に設けられた、ユーザの髪の毛を梳かすためのブラシ状の部位であり、例えば、樹脂により構成され、湾曲した糸状の弾性の突起物１２ａが複数集まって構成されている（図１（ｂ）参照）。
【００３１】
具体的には、ブラシ部１２は、例えば、ユーザの髪の毛に絡みつく突起物が多数植設されたヘアカーラーの外面や、先端側がフック状に湾曲した糸状の樹脂が集まって構成された面ファスナーのフック等と同様の構成を有していても良い。
【００３２】
なお、突起物１２ａの根元から先端までの長さは、例えば、２〜６ｍｍであることが望ましく、さらには、２〜３ｍｍ或いは４〜６ｍｍであることが望ましい。また、ブラシ部１２は、２〜３ｍｍの突起物１２ａと、４〜６ｍｍの突起物１２ｂが混在している構成としても良い（図１（ｃ）参照）。
【００３３】
また、静電気防止部材１３は、金属や導電性ポリマー等から構成された真っ直ぐな細長い棒状の部材であり、空洞１４への指の挿入方向に沿って本体部１１に配されている。なお、静電気防止部材１３は、等間隔で複数本配されるのが望ましく、具体的には、５〜１０本が望ましい。こうすることにより、静電気の発生を確実に抑えることや、本体部１１の強度を向上させることができる。
【００３４】
また、本体部１１は、矩形の面状の部材として構成されており、対面する２つの辺をなす縁部に沿って、帯状の凸状係合領域１６と凹状係合領域１５が形成されている。また、本体部１１の一方の面（外面）にはブラシ部１２が設けられており、ブラシ部１２は、これらの係合領域に挟まれた領域に配されている（図２参照）。
【００３５】
凸状係合領域１６の内面（ブラシ部１２が設けられていない面）の両端には、それぞれ、凸状の突起物として形成された２つの凸状係合部１６ａが形成されており、これらは、凸状係合領域１６と凹状係合領域１５の対面方向に沿って配されている。
【００３６】
一方、凹状係合領域１５の両端には、それぞれ、当該凹状係合領域１５を貫通する孔部をなす２つの凹状係合部１５ａが形成されており、これらもまた、上記対面方向に沿って配されている。
【００３７】
そして、本体部１１を内面側に丸め、凹状係合領域１５の外面側に凸状係合領域１６を被せるようにこれらの領域を重ね合わせ、凸状係合部１６ａと凹状係合部１５ａとを係合させることで、本体部１１が筒状に形成された状態となる。フィンガーストレーナ１０は、該状態で使用される。
【００３８】
この凸状係合部１６ａと凹状係合部１５ａとは、フィンガーストレーナ１０の空洞１４の内径を調整する調整機構として機能する。すなわち、外側に位置する凸状係合部１６ａと凹状係合部１５ａのみを係合させるか、或いは、外側，内側に位置する凸状係合部１６ａを、それぞれ、内側，外側に位置する凹状係合部１５ａに係合させるかにより、フィンガーストレーナ１０の空洞１４の内径を２段階で調整することができる。
【００３９】
なお、調整機構の構成はこれに限定されること無く、例えば、一方の係合領域に設けられた上記対面方向に沿って並ぶ係合部の数を１つとすると共に、他方の係合領域に設けられた上記対面方向に沿って並ぶ係合部の数を複数としても良い。また、各係合領域の中央に凸状係合部１６ａと凹状係合部１５ａとを設ける構成としても良い。また、凸状係合部１６ａや凹状係合部１５ａに替えて、各係合領域に、例えば、フック上の部材等により互いに係合する部材を設けても良い。
【００４０】
このような場合であっても、同様にして空洞１４の内径を調整することができる。
また、使用可能な状態となったフィンガーストレーナ１０の外面は、重なり合った係合領域を除く他の領域にブラシ部１２が設けられた状態となる（図３（ａ）参照）。
【００４１】
［第２実施形態］
第２実施形態のフィンガーストレーナ１０もまた、第１実施形態と同様、筒状の本体部１１と、本体部１１に外面に設けられたブラシ部１２と、指の挿入方向に沿って配された静電気防止部材１３等から構成される（図１（ａ）参照）。
【００４２】
しかし、第２実施形態のフィンガーストレーナ１０の本体部１１は、樹脂によりメッシュ状に構成された弾性を有する筒状の部材であり、第１実施形態のような調製機構は設けられておらず、空洞１４の内径を調整することができない。
【００４３】
このため、本体部１１には、第１実施形態における凸状係合領域１６や凹状係合領域１５が設けられておらず、本体部１１の外面全体にブラシ部１２が設けられている（図３（ｂ）参照）。これにより、装着された指を中心に本体部１１を回転させてブラシ部１２の位置を調整すること無く、髪の毛を梳かすことができる。
【００４４】
したがって、内径の異なる複数種類のフィンガーストレーナ１０を設け、ユーザの指の太さに応じて使い分けられる。
なお、第２実施形態では、ブラシ部１２は、本体部１１の外面全体に設けられているが、外面における一部の領域にブラシ部１２を設ける構成としても良い。具体的には、例えば、本体部１１の一端から他端にかけて延びる帯状の領域にブラシ部１２を設けても良いし、本体部１１の一端から他端にかけて配され、本体部１１の半周分程度にわたり広がる領域にブラシ部１２を設けても良い。
【００４５】
こうすることにより、フィンガーストレーナ１０により髪の毛を梳かす際、髪の毛が本体部１１に巻きついてしまうことを防ぐことができ、フィンガーストレーナ１０の使い勝手を良くすることができる。
【００４６】
また、このほかにも、本体部１１の端部に沿った領域を除いた他の領域にブラシ部１２を設けても良い。
［第３実施形態］
第３実施形態のフィンガーストレーナセット１は、第１或いは第２実施形態と同様に構成された２つのフィンガーストレーナ１０とこれらをつなぎとめる紐状部材２０とから構成される。
【００４７】
各フィンガーストレーナ１０の本体部１１の一端には、貫通孔部１７が形成されていると共に、紐状部材２０は環状に形成されており、各フィンガーストレーナ１０の貫通孔部１７を挿通した状態となることで、これらのフィンガーストレーナ１０をつなぎとめる（図４参照）。
【００４８】
なお、フィンガーストレーナ１０の本体部１１に貫通孔部１７を形成すること無く、１本の紐状に形成された紐状部材の一端を、一方のフィンガーストレーナ１０の端部に接着すると共に、その他端を他方のフィンガーストレーナ１０の端部に接着することで、これらをつなぎとめておく構成としても良い。
【００４９】
また、上記フィンガーストレーナセット１を構成する一方のフィンガーストレーナ１０と、他のフィンガーストレーナ１０を紐状部材により同様にしてつなぎとめる構成とし、３本のフィンガーストレーナ１０からなるフィンガーストレーナセットを構成しても良い。さらに、同様にして、４本或いは５本のフィンガーストレーナ１０からなるフィンガーストレーナセットを構成しても良い。
【００５０】
また、紐状部材２０を設けること無く、第１或いは第２実施形態のフィンガーストレーナ１０が２〜５本集まったフィンガーストレーナセットを構成しても良い。
［他の実施形態］
（１）第１〜第３実施形態のフィンガーストレーナ１０の本体部１１には、真っ直ぐな棒状の静電気防止部材１３が空洞１４への指の挿入方向に沿って配されている。しかしながら、静電気防止部材１３の形状はこれに限定されることは無く、例えば、本体部１１の一端から他端にかけて、指の挿入方向に対し傾いた状態で、本体部１１の外面に沿って細長い静電気防止部材を設けても良い。また、螺旋状に形成された細長い静電気防止部材を、本体部１１の外面に沿って配しても良い。
【００５１】
フィンガーストレーナにより髪の毛を梳かす際には、一般的に、本体部１１の空洞１４への指の挿入方向に直交する方向（整髪方向）に指を動かして髪の毛を梳かすと考えられる。このため、上記構成を有する場合であっても、髪の毛を梳かす際、静電気防止部材と髪の毛とを交差させることができ、静電気の発生を好適に抑えることができる。
【００５２】
また、静電気防止部材１３を有していないフィンガーストレーナ１０を構成しても良い。こうすることにより、フィンガーストレーナ１０の構成を簡略化することができ、フィンガーストレーナ１０の製造コストを抑えることができる。
【００５３】
（２）また、第１〜第３実施形態のフィンガーストレーナ１０の本体部１１は、筒状に形成されているが、これに限らず、本体部１１は、本体部１１に形成された一方の開口が他方の開口よりも小さいテーパー状に形成されていても良い。このような場合であれば、該他方の開口から指を挿入することで、フィンガーストレーナ１０がユーザの指に装着される。
【００５４】
また、本体部１１は筒状に形成されているが、これに限らず、本体部１１は、上面と下面が開口しており、側面により囲まれた空洞が形成された中空の角柱状に形成されていても良い。このような場合であっても、同様の効果を得ることができる。
【００５５】
また、本体部１１に形成された空洞１４は、その一方の開口が塞がれた状態となっていても良い。このような場合であっても、本体部１１の空洞１４に指を挿入してフィンガーストレーナ１０を装着することができ、同様の効果を得ることができる。
【００５６】
［実用新案登録請求の範囲との対応］
上記実施形態の説明で用いた用語と、実用新案登録請求の範囲の記載に用いた用語との対応を示す。
【００５７】
凹状係合部１５ａが第１係合部に、凸状係合部１６ａが第２係合部に相当する。
【符号の説明】
【００５８】
１…フィンガーストレーナセット、１０…フィンガーストレーナ、１１…本体部、１２…ブラシ部、１２ａ…突起物、１２ｂ…突起物、１３…静電気防止部材、１４…空洞、１５…凹状係合領域、１５ａ…凹状係合部、１６…凸状係合領域、１６ａ…凸状係合部、１７…貫通孔部、２０…紐状部材。
【図１】
0003182862.tif 000003
【図２】
0003182862.tif 000004
【図３】
0003182862.tif 000005
【図４】
0003182862.tif 000006